(57)【要約】【課題】遊技盤の点検・清掃・整備を容易にかつ安全に実施する。【解決手段】遊技機前面ユニット２３  の裏面に上下位置にそれぞれ略水平方向に伸びるように取り付けたスライドレール２２０１と、スライドレール２２０１間において、遊技機前面ユニット２３の裏面位置と、遊技機前面ユニット２３の外部に張り出す位置との間を略水平方向にスライド移動自在になるようにスライドレール２２０１間に保持される、遊技盤ユニット２２０２（遊技盤６１）と、遊技盤ユニット２２０２（遊技盤６１）を、遊技機前面ユニット２３の裏面２２から張り出した位置で回動自由に支持する支持手段（ピン２２０６とスライドレールの孔２２０５）と、を備えた。【選択図】図１０
2014050635.tif 000002
【特許請求の範囲】
【請求項１】
遊技機前面ユニットの裏面に、上下位置にそれぞれ略水平方向に伸びるように取り付けたスライドレールと、
前記スライドレール間において、前記遊技機前面ユニットの裏面位置と、該遊技機前面ユニットの外部に張り出す位置との間を略水平方向にスライド移動自在になるように該スライドレール間に保持される遊技盤ユニットと、
前記遊技盤ユニットを、前記遊技機前面ユニットの裏面から張り出した位置で回動自由に支持する支持手段と、を備えた、ことを特徴とする遊技機。
【請求項２】
前記遊技盤ユニットを、前記遊技機前面ユニットの裏面から張り出した位置で固定する固定手段を更に備えた、ことを特徴とする請求項１の遊技機。
【請求項３】
前記各スライドレールは、略水平方向に伸びるように溝が形成され、この溝が向かい合うように、前記遊技機前面ユニットの裏面にそれぞれ取り付けられた、ことを特徴とする請求項１又は２の遊技機。
【請求項４】
前記支持手段は、前記遊技機前面ユニットの片側に、取り付けられた上下方向へそれぞれ突出するピンと、前記スライドレールの溝に開けられた各孔とから成り、
上下側の前記スライドレールの溝に開けられた各孔に、前記ピンを着脱自在に差し込み回動自在に支持する構成である、ことを特徴とする請求項１、２又は３の遊技機。
【請求項５】
前記遊技盤ユニットに把手を設け、該把手は前記遊技機ベースユニットに設けた係合部に着脱し得るように構成した、ことを特徴とする請求項１、２、３又は４の遊技機。
【請求項６】
前記ピンは前記遊技盤ユニットの引き出し方向と反対に向けて傾斜している形状である、ことを特徴とする請求項４の遊技機。
【発明の詳細な説明】
【技術分野】
【０００１】
本発明は、パチンコ、スロットマシンあるいはメダルの代わりに遊技球でスロットマシンの遊技をするパロット等の遊技機に関する。
【背景技術】
【０００２】
遊技機の一種としてのパチンコ機では、例えば発射装置が発射した遊技球が打ち出される遊技領域を備えた遊技盤が設けられている。遊技盤は、発射装置から発射された遊技球を遊技領域に案内するためのガイドレール（ガイド部材）と一体に形成されている。このような遊技盤は、定期的に点検、清掃、更に整備する必要がある。この点検・清掃・整備する際に、前面扉、前枠といった遊技機前面ユニットを開放して遊技盤の盤面を露出させる。
【０００３】
パチンコ機は年々複雑化及び多様化が進んでおり、遊技機前面ユニットの前面に膨出している部分が多くなり、遊技機前面ユニットを大きく開閉しづらくなってきた。そのために、遊技盤の点検・清掃・整備に際して、隣接するパチンコ機と干渉して遊技機前面ユニットを大きく開けないことがあり、遊技盤の左半分が遊技機前面ユニットの裏面に邪魔されて作業がしづらいといった問題があった。
【０００４】
例えば特許文献１の特開２００９−７７７８４の「パチンコ機」には、パチンコ機の機種変更などの際に、本体枠から取り外されて仕様の異なるものへと交換される遊技機に関する構成が提案されている。
【先行技術文献】
【特許文献】
【０００５】
【特許文献１】特開２００９−７７７８４公報
【発明の概要】
【発明が解決しようとする課題】
【０００６】
しかし、特許文献１の「パチンコ機」では、遊技機の遊技盤の交換が技術目的であり、簡単な作業により、遊技盤の盤面を大きく露出させて遊技盤の点検・清掃・整備することはできないという問題を有していた。
【０００７】
本発明は、上述した問題点等を解決するために創案されたものである。すなわち、本発明の目的は、遊技盤の点検・清掃・整備を容易にかつ安全に実施することができる遊技機を提供することにある。
【課題を解決するための手段】
【０００８】
本発明は、遊技機前面ユニットの裏面に、上下位置にそれぞれ略水平方向に伸びるように取り付けたスライドレールと、前記スライドレール間において、前記遊技機前面ユニットの裏面位置と、該遊技機前面ユニットの外部に張り出す位置との間を略水平方向にスライド移動自在になるように該スライドレール間に保持される遊技盤ユニットと、前記遊技盤ユニットを、前記遊技機前面ユニットの裏面から張り出した位置で回動自由に支持する支持手段と、を備えた、ことを特徴とする。
【発明の効果】
【０００９】
上記構成では、遊技盤ユニット（遊技盤）は、遊技機の遊技時にはスライドレール間において維持される。遊技機の遊技盤を点検・清掃・整備する際に、遊技盤ユニット（遊技盤）を、水平方向に引き出すようにスライド移動させることができる。従来のように他の部材に干渉、邪魔されることなく遊技盤ユニット（遊技盤）の細部に至るまで点検・清掃・整備することができる。
【図面の簡単な説明】
【００１０】
【図１】一実施の形態におけるパチンコ機を示す斜視図である。
【図２】パチンコ機の主要な構成を展開して示す斜視図である。
【図３】パチンコ機の構成を示す背面図である。
【図４】遊技機ベースユニットの構成を示す正面図である。
【図５】遊技盤の構成を示す正面図である。
【図６】遊技機ベースユニットの構成を示す背面図である。
【図７】遊技機前面ユニットの構成を示す背面図である。
【図８】裏パックユニットの構成を示す正面図である。
【図９】裏パックユニットの構成を示す分解斜視図である。
【図１０】本発明のスライド可動式の遊技盤を示す遊技機前面ユニットの裏面の斜視図であり、（ａ）は遊技盤ユニット（遊技盤）を引き出す前の状態、（ｂ）は遊技盤ユニット（遊技盤）を引き出し、更に展開した状態である。
【図１１】遊技機前面ユニットの裏面に取り付けたスライドレールを示す斜視図である。
【図１２】遊技盤ユニットを示す斜視図である。
【図１３】遊技盤ユニットのピンの構造を示す拡大断面図であり、（ａ）はピンが押し下げられている状態、（ｂ）はピンが大きく飛び出し、孔に嵌合した状態である。
【図１４】遊技盤ユニットの段差の構造を示す拡大正面図である。
【図１５】引き出した遊技盤ユニット（遊技盤）を、把手を介して遊技機ベースユニットに掛け止めた状態を示す斜視図である。
【図１６】ピンの変形例を示し、孔に嵌合する前の状態の拡大正断面図（ａ）と部分平面図（ｂ）、孔に嵌合している状態の拡大正断面図（ｃ）と部分平面図（ｄ）である。
【図１７】ピンの変形例を示し、孔から外す状態の拡大正断面図（ｅ）と部分平面図（ｆ）である。
【発明を実施するための形態】
【００１１】
以下、本発明の好ましい実施の形態を図面を参照して説明する。
図１は本発明の遊技機すなわちパチンコ機１０の遊技機主部２１と外枠１１とが嵌合した状態を示す斜視図である。図２はパチンコ機１０の主要な構成を展開して示す斜視図である。図３はパチンコ機１０の背面図である。なお、図２では便宜上パチンコ機１０の遊技領域内の構成を省略している。
パチンコ機１０は、当該パチンコ機１０の外殻を形成する外枠１１と、この外枠１１に対して前方に回動可能に取り付けられた遊技機主部２１とを有する。
【００１２】
＜遊技機１０の全体構成＞
外枠１１は、図1及び図３に示すように、板材１２〜１５を四辺に連結し構成されるものであって矩形枠状をなしている。外枠１１を構成する板材１２〜１５は、左右の板材１２，１３がアルミなどの金属製となっており、上下の板材１４，１５が木製となっている。パチンコ機１０は、外枠１１の上下の板材１４，１５を島設備に取り付け固定することにより、遊技ホールに設置される。
【００１３】
上記のように左右の板材１２，１３を金属製とすると共に上下の板材１４，１５を木製とすることで、島設備への固定を可能としつつ外枠１１の補強を行うことができる。なお、外枠１１の構成は上記のものに限定されることはなく、全ての板材１２〜１５を木製としてもよく、全ての板材１２〜１５を金属製としてもよい。また、板材１２〜１５の全部又は一部を合成樹脂製としてもよい。
【００１４】
外枠１１の左側の板材１２には、その上下の各端部に支持金具１７，１８が取り付けられている。これら支持金具１７，１８に支持させるようにして、図２に示すように、遊技機主部２１が外枠１１に対して回動可能に取り付けられている。本発明は、これら支持金具１７，１８に遊技機主部２１を着脱自在に取り付ける構造になる。
【００１５】
遊技機主部２１は、図２に示すように、遊技機ベースユニット（本体枠又は内枠）２２と、その遊技機ベースユニット２２の前方に配置される遊技機前面ユニット（前面扉又は前枠）２３と、遊技機ベースユニット２２の後方に配置される裏パックユニット２４とを備えている。
【００１６】
遊技機主部２１のうち遊技機ベースユニット２２が外枠１１に対して回動可能に支持されている。詳細には、正面視で左側を回動基端（開閉基端）側とし右側を回動先端（開閉先端）側として遊技機ベースユニット２２が前方へ回動可能（開閉可能）とされている。
【００１７】
遊技機ベースユニット２２は、外枠１１の開口全体を覆う大きさを有しており、その背面側であって回動先端側には施錠装置３１が取り付けられている。施錠装置３１は長尺状の連動杆３２を備えており、当該連動杆３２には上下一対の鉤金具３３が設けられている。外枠１１に対して遊技機ベースユニット２２を閉鎖した際には、鉤金具３３が外枠１１の右側の板材１３に設けられた受け金具３４に係止され、施錠装置３１により施錠状態とされるようになっている。
【００１８】
また、遊技機ベースユニット２２にはシリンダ錠３５（図１参照）が設けられており、シリンダ錠３５の操作によって連動杆３２を上方向又は下方向のうち予め定められた方向に移動させると、外枠１１に対する遊技機ベースユニット２２の施錠状態が解除される。
【００１９】
遊技機ベースユニット２２には、図２に示すように、遊技機前面ユニット２３が回動可能に支持されており、正面視で左側を回動基端（開閉基端）側とし右側を回動先端（開閉先端）側として前方へ回動可能（開閉可能）とされている。また、遊技機ベースユニット２２には、図３に示すように、裏パックユニット２４が回動可能に支持されており、正面視で左側を回動基端（開閉基端）側とし右側を回動先端（開閉先端）側として後方へ回動可能（開閉可能）とされている。
【００２０】
次に、遊技機ベースユニット２２、遊技機前面ユニット２３及び裏パックユニット２４のそれぞれについて詳細に説明する。
＜遊技機ベースユニット２２＞
図４は遊技機ベースユニット２２の正面図である。図５は遊技機ベースユニット２２に搭載された遊技盤６１の正面図である。図６は遊技機ベースユニット２２の背面図である。なお、図４では便宜上パチンコ機１０の遊技領域内の構成を省略している。
先ず、遊技機ベースユニット２２の構成について詳細に説明する。
遊技機ベースユニット２２は、図４に示すように、外形が外枠１１とほぼ同一形状をなす樹脂ベース４１を主体に構成されている。樹脂ベース４１の中央部には略楕円形状の窓孔５１が形成されている。
【００２１】
図４に示すように、樹脂ベース４１における窓孔５１の下方には、遊技球発射機構８０が取り付けられている。遊技球発射機構８０は、電磁式のソレノイド８１と、発射レール８２と、球送り機構８３とからなり、ソレノイド８１への電気的な信号の入力により当該ソレノイド８１の出力軸が伸縮方向に移動し、球送り機構８３によって発射レール８２上に置かれた遊技球を遊技領域に向けて打ち出す。ソレノイド８１への電気的な信号の入力は、遊技機前面ユニット２３の下部に設けられた遊技球発射ハンドル８４（図１等参照）が操作されることに基づいて発生する。
【００２２】
遊技盤６１は合板より成り、遊技盤６１の前面に形成された遊技領域が樹脂ベース４１の窓孔５１を通じて遊技機ベースユニット２２の前面側に露出した状態となっている。
【００２３】
図５に示すように、遊技盤６１には、ルータ加工が施されることによって前後方向に貫通する大小複数の開口部が形成され、各開口部には一般入賞口６２、可変入賞装置６３、上作動口６４、下作動口６５、スルーゲート６６、可変表示ユニット６７及びアウト口６８等がそれぞれ設けられている。このうち、可変入賞装置６３、上作動口６４、下作動口６５、可変表示ユニット６７及びアウト口６８は、遊技盤６１の左右方向の中央において上下方向に並べて設けられており、上から可変表示ユニット６７、上作動口６４、下作動口６５及びアウト口６８の順となっている。また、一般入賞口６２は、遊技盤６１の下部において、左側に３個及び右側に１個の合計４個設けられている。ちなみに、遊技盤６１の左側は遊技機前面ユニット２３の回動基端側に相当し、遊技盤６１の右側は遊技機前面ユニット２３の回動先端側に相当する。
【００２４】
一般入賞口６２、可変入賞装置６３、上作動口６４及び下作動口６５に遊技球が入球すると、それが検知スイッチにより検知され、その検知結果に基づいて所定数の賞球の払い出しが実行される。具体的には、一般入賞口６２に一の遊技球が入球すると単位遊技球数として１０個の遊技球が払い出され、可変入賞装置６３に一の遊技球が入球すると単位遊技球数として１５個の遊技球が払い出され、上作動口６４に一の遊技球が入球すると単位遊技球数として３個の遊技球が払い出され、下作動口６５に一の遊技球が入球すると単位遊技球数として４個の遊技球が払い出される。
【００２５】
各種入賞口等に入らなかった遊技球は、後述する内レール部７７によって集められ、内レール部７７の最下部に設けられたアウト口６８を通って遊技領域から排出される。その他に、遊技盤６１には、遊技球の落下方向を適宜分散、調整等するために多数の釘６９が植設されていると共に、風車等の各種部材（役物）や内レール部７７および外レール部７８が配設されている。
【００２６】
可変表示ユニット６７は、遊技盤６１の略中央部上方に形成された略円形の開口部に取り付けられる図柄表示装置７１と、開口部の周縁に図柄表示装置７１を囲むようにして配設されたセンターフレーム７２を備えている。
図柄表示装置７１は、液晶ディスプレイを備えた液晶表示装置であり、後述する表示制御装置１０１により、いずれかの作動口６４，６５への入賞をトリガとして図柄を可変表示するように制御されている。図柄表示装置７１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。なお、図柄表示装置７１は、ＣＲＴ，ドットマトリックス，７セグメント等その他のタイプにより表示画面を構成したものであってもよい。
【００２７】
また、センターフレーム７２の上部には、第１特定ランプ部７３及び第２特定ランプ部７４が、センターフレーム７２の上部及び下部には保留ランプ部７５，７６がそれぞれ設けられている。下側の保留ランプ部７５は、図柄表示装置７１及び第１特定ランプ部７３に対応しており、遊技球が作動口６４，６５を通過した回数は最大４回まで保留され、保留ランプ部７５の点灯によってその保留個数が表示されるようになっている。上側の保留ランプ部７６は、第２特定ランプ部７４に対応しており、遊技球がスルーゲート６６を通過した回数は最大４回まで保留され、保留ランプ部７６の点灯によってその保留個数が表示されるようになっている。
【００２８】
第１特定ランプ部７３では、上作動口６４への入賞をトリガとして所定の順序で発光色の切り替えが行われ、予め定められた色で停止表示された場合には大当たりが発生する。また、第２特定ランプ部７４では、遊技球のスルーゲート６６の通過をトリガとして所定の順序で発光色の切り替えが行われ、予め定められた色で停止表示された場合には下作動口６５に付随する電動役物６５ａが所定時間だけ開放状態となる。
【００２９】
ちなみに、下作動口６５は、開閉手段としての電動役物６５ａが開放状態の場合に入球が可能となり、閉鎖状態の場合に入球が不可となる。なお、これに限定されることはなく、電動役物６５ａが開放状態の場合に入球し易くなり、閉鎖状態の場合に入球しがたくなる構成としてもよい。
【００３０】
可変入賞装置６３は、開閉手段としての開閉扉６３ａが通常は遊技球が入球できない又は入球しがたい閉鎖状態になっており、大当たりの際に遊技球が入球しやすい所定の開放状態に切り換えられるようになっている。可変入賞装置６３の開放態様としては、所定時間（例えば３０秒間）の経過又は所定個数（例えば１０個）の入賞を１ラウンドとして、複数ラウンド（例えば１５ラウンド）を上限として可変入賞装置６３が繰り返し開放されるものが一般的である。
【００３１】
遊技盤６１の周縁部分には、略円弧状の内レール部７７と外レール部７８とが取り付けられており、これら内レール部７７と外レール部７８とにより誘導レールが構成され、上述した遊技球発射機構８０から発射された遊技球が遊技領域の上部に案内されるようになっている。また、図５に示すように、樹脂ベース４１の窓孔５１の右上部には返しゴム７９が設けられており、所定以上の勢いで発射された遊技球は返しゴム７９に当たり、遊技領域の中央寄りに跳ね返されるようになっている。この場合、返しゴム７９はその遊技球が当たる面が遊技領域の中央側に向けて傾斜させて形成されているため、遊技領域の中央に向けた遊技球の跳ね返しが良好に行われるようになっている。
【００３２】
遊技機ベースユニット２２が遊技機前面ユニット２３を支持する機構について、図４等に基づいて説明する。
遊技機ベースユニット２２の樹脂ベース４１の前面における回動基端側には、その上端部及び下端部に支持金具４２，４３が取り付けられている。これら支持金具４２，４３に対して遊技機前面ユニット２３が支持されていることで当該遊技機前面ユニット２３が遊技機ベースユニット２２に対して前方に回動可能となっている。また、樹脂ベース４１の前面における回動先端側には、遊技機前面ユニット２３の背面に設けられた鉤金具４４（図２参照）を挿入するための挿入孔４５が上下方向に離間させて複数設けられている。遊技機ベースユニット２２に対して遊技機前面ユニット２３を閉鎖した状態では、遊技機前面ユニット２３の鉤金具４４が挿入孔４５内に入り込み、当該鉤金具４４は上述した施錠装置３１に係止される。これにより、遊技機ベースユニット２２に対して遊技機前面ユニット２３が施錠された状態となる。この施錠状態はシリンダ錠３５の操作によって施錠装置３１の連動杆３２を、外枠１１に対する遊技機ベースユニット２２の解錠を行う場合とは反対側に移動させることで解除される。
【００３３】
次に、遊技機ベースユニット２２の背面構成について図６を用いて詳細に説明する。
樹脂ベース４１の背面における回動先端側には既に説明した施錠装置３１が設けられている。また、樹脂ベース４１の中央には上記のとおり遊技盤６１が取り付けられている。
【００３４】
遊技盤６１の中央に配置された可変表示ユニット６７（図５参照）には、図６に示すように、センターフレーム７２（図５参照）を後方から覆う合成樹脂製のフレームカバー１００が後方に突出させて設けられており、フレームカバー１００に対して後側から上述した図柄表示装置７１が取り付けられていると共に、その図柄表示装置７１を駆動するための表示制御装置１０１が取り付けられている。これら図柄表示装置７１及び表示制御装置１０１は前後方向に重ねて配置され（図柄表示装置７１が前、表示制御装置１０１が後）、さらにその後方に音声ランプ制御装置ユニット１０２が搭載されている。音声ランプ制御装置ユニット１０２は、音声ランプ制御装置１０３と、取付台１０４とを具備する構成となっており、取付台１０４上に音声ランプ制御装置１０３が装着されている。
【００３５】
音声ランプ制御装置１０３は、後述する主制御装置からの指示に従い音声やランプ表示、及び表示制御装置の制御を司る音声ランプ制御基板を具備しており、音声ランプ制御基板が透明樹脂材料等よりなる基板ボックスに収容されて構成されている。
【００３６】
遊技盤６１の背面であって可変表示ユニット６７の下方には、主制御装置ユニット１０５が搭載されている。主制御装置ユニット１０５は、合成樹脂製の取付台１０６を有し、取付台１０６に主制御装置１０７が搭載されている。主制御装置１０７は、遊技の主たる制御を司る機能（主制御回路）と、電源を監視する機能（停電監視回路）とを有する主制御基板を具備しており、当該主制御基板が透明樹脂材料等よりなる第１基板ボックス１０８に収容されて構成されている。なお、当該基板ボックス１０８には、後述するように当該基板ボックスの開放痕跡手段としてかしめ部材や封印シールが設けられていると共に、取付台１０６に対する主制御装置１０７の離脱痕跡手段としてかしめ部材が設けられている。なお、ここで基板ボックス（第１基板ボックス）１０８と称しているが、後述するように基板ボックス１４８，１４９が複数存在するので、それぞれ区別するために便宜的に用いた。その順番以外に何ら意味合いを持つものではない。
【００３７】
遊技盤６１の背面における主制御装置ユニット１０５により覆われた領域には、図示しない集合板ユニットが設けられている。集合板ユニットには、各種入賞口に入賞した遊技球を回収するための遊技球回収機構や、各種入賞口等への遊技球の入賞を検知するための入賞検知センサなどが設けられている。遊技球回収機構にて回収された遊技球は後述する排出通路を介してパチンコ機１０外部に排出される。また、入賞検知センサは主制御装置１０７と電気的に接続されており、遊技球の入賞を検知した場合の検知信号は主制御装置１０７にて入力される。
【００３８】
遊技機ベースユニット２２が裏パックユニット２４を支持する機構について説明する。
樹脂ベース４１の背面における回動基端側（図６の右側）には、軸受け金具１１１，１１２，１１３が取り付けられている。軸受け金具１１１〜１１３は上下に離間させて３個設けられている。なお、軸受け金具１１１〜１１３の数は任意であり、２個であってもよく、４個以上であってもよい。遊技機ベースユニット２２には、これら軸受け金具１１１〜１１３に対して軸支させて裏パックユニット２４が取り付けられている。裏パックユニット２４により、可変表示ユニット６７の全部及び主制御装置ユニット１０５の一部が後方から覆われており、裏パックユニット２４を開放させない限り可変表示ユニット６７及び主制御装置ユニット１０５を樹脂ベース４１から取り外すことができないようになっている。
【００３９】
樹脂ベース４１の背面には、図６に示すように、裏パックユニット２４を遊技機ベースユニット２２に固定するための固定金具１１５が設けられている。固定金具１１５は手動で回動操作することができ、固定位置（ロック位置）と固定解除位置（アンロック位置）とに切り換えることができるよう構成されている。また、図６に示すように、樹脂ベース４１の背面には締結孔部１１６が形成されており、当該締結孔部１１６に対して裏パックユニット２４に設けられた後述する締結具１１７（図８参照）を締結させることによっても裏パックユニット２４が遊技機ベースユニット２２に固定される。
【００４０】
＜遊技機前面ユニット２３＞
遊技機前面ユニット２３の構成について図１に基づいて説明する。
遊技機前面ユニット２３は遊技機ベースユニット２２の前面側全体を覆うようにして設けられている。遊技機前面ユニット２３には、上記遊技領域のほぼ全域を前方から視認することができるようにした略楕円形状の窓パネル部９１が設けられている。窓パネル部９１の周囲には、各種ランプ等の発光手段が設けられている。例えば、窓パネル部９１の周縁に沿ってＬＥＤ等の発光手段を内蔵した環状電飾部９２が設けられている。環状電飾部９２では、大当たり時や所定のリーチ時等における遊技状態の変化に応じて点灯や点滅が行われる。また、環状電飾部９２の中央であってパチンコ機１０の最上部には所定のエラー時に点灯するエラー表示ランプ部９３が設けられている。また、窓パネル部９１の左上方及び右上方には、遊技状態に応じた効果音などが出力されるスピーカ部９４が設けられている。
【００４１】
遊技機前面ユニット２３には、窓パネル部９１の下方に、手前側へ膨出した第１膨出部９５と第２膨出部９６とが上下に並設されている。
第１膨出部９５内側には、上方に開口した上皿９５ａが設けられている。上皿９５ａは、第１払出口２３１より払い出された遊技球を一旦貯留し、一列に整列させながら下流側（本実施の形態では右側）の遊技球発射機構８０へ導く機能を有する球受皿である。
【００４２】
第１膨出部９５の上面右側（上皿９５ａの下流側）には、奥側に上皿球抜きスイッチ２３２が、手前側に貸球操作部２３３がそれぞれ配設されている。上皿球抜きスイッチ２３２は、上皿９５ａに貯留された遊技球を排出するために操作されるものである。
【００４３】
貸球操作部２３３には、球貸しボタン２３４と、返却ボタン２３５とが設けられている。球貸しボタン２３４は、カード等（記録媒体）に記録された情報に基づいて貸出球を得るために操作されるものであり、カード等に残額が存在する限りにおいて貸出球が払い出される。返却ボタン２３５は、カードユニットに挿入されたカード等の返却を求める際に操作される。なお、球貸しボタン２３４及び返却ボタン２３５とからなる貸球操作部２３３は、第１膨出部９５の上方にも設けられている。
【００４４】
遊技機１０には遊技者により操作する演出ボタン２３６が設けられている。この演出ボタン２３６は後述するように回動、回転更にプッシュ可能である。演出ボタン２３６には図示しないランプが内蔵されており、選択操作が有効とされる状況下ではランプが点灯表示され、選択操作が無効とされる状況下ではランプが消灯表示されるようになっている。そして、当該ランプが点灯表示されている状況下で演出スイッチ２３６を操作された場合、後述する図柄表示装置７１の表示モードが変更されるようになっている。
【００４５】
第１膨出部９５と同様に、第１膨出部９５の下方に手前側へ膨出するように設けられている第２膨出部９６内側にも、上方に開口した下皿９６ａが設けられている。下皿９６ａは、第２払出口２３７より払い出された遊技球を一旦貯留するための球受皿である。下皿９６ａには、例えば、上皿９５ａにて遊技球が余剰となった場合には、下皿球抜きスイッチ２３３が操作され、上皿９５ａに貯留された遊技球が第２払出口２３７より排出されるようになっている。
【００４６】
第２膨出部９６前面側には、下皿９６ａに貯留された遊技球を下方に排出するための上球抜きスイッチ２３８が設けられている。また、第２膨出部９６の右方には、手前側へ突出するようにして遊技球発射ハンドル８４が設けられている。遊技球発射ハンドル８４は、板材１２の背面側に設けられた遊技球発射機構８０（図４参照）に連結されており、上皿９５ａに貯留された遊技球は、遊技者が遊技球発射ハンドル８４を回転させることにより、遊技盤６１に形成された遊技領域に向けて発射される。
【００４７】
図７は遊技機前面ユニット２３の背面図である。
遊技機前面ユニット２３の背面における回動基端側（図７の右側）には、その上端部及び下端部に突起軸９７，９８が設けられている。これら突起軸９７，９８は遊技機ベースユニット２２に対する組付機構を構成する。また、遊技機前面ユニット２３の背面における回動先端側（図７の左側）には、上述した鉤金具４４が上下方向に複数並設されている。
【００４８】
また、遊技機前面ユニット２３の背面には、図７に示すように、前面側通路ユニット２７１が取り付けられている。前面側通路ユニット２７１は、合成樹脂により成形されており、上皿９５ａに通じる前扉側上皿通路と、下皿９６ａに通じる前扉側下皿通路とが形成されている。
【００４９】
＜裏パックユニット２４＞
裏パックユニット２４の構成について詳細に説明する。
図８は裏パックユニット２４の正面図である。図９は裏パックユニット２４の分解斜視図である。
裏パックユニット２４は、当該裏パックユニット２４の上部及び中央部分を構成する第１裏パックユニット１２１と、当該第１裏パックユニット１２１に連続させて設けられ裏パックユニット２４の下部を構成する第２裏パックユニット１４１とを備えている。第１裏パックユニット１２１にはその下部に開口部１２２が形成されており、第２裏パックユニット１４１の上部は当該開口部１２２の下縁部分を構成している。
【００５０】
第１裏パックユニット１２１と第２裏パックユニット１４１には、図８に示すように、それぞれ軸金具１２３，１３９が設けられており、それら軸金具１２３，１３９はそれぞれ個別に遊技機ベースユニット２２の軸受け金具１１１〜１１３（図６参照）に支持されている。これにより、第１裏パックユニット１２１と第２裏パックユニット１４１とは、遊技機ベースユニット２２に対してそれぞれ個別に回動可能となっている。
【００５１】
ここで、上記のとおり、第２裏パックユニット１４１はその上部が第１裏パックユニット１２１の開口部１２２の下縁部分を構成しており、当該下縁部分において、第１裏パックユニット１２１がパチンコ機１０前方となるようにして第１裏パックユニット１２１と第２裏パックユニット１４１とが前後に重なっている。したがって、第１裏パックユニット１２１を遊技機ベースユニット２２に対して閉鎖した状態で第２裏パックユニット１４１を開放させることはできるが、第２裏パックユニット１４１を閉鎖した状態で第１裏パックユニット１２１を開放させることはできない。なお、これに限定されることはなく、開閉の関係が第１裏パックユニット１２１と第２裏パックユニット１４１とで逆であってもよく、第１裏パックユニット１２１と第２裏パックユニット１４１とが相互に干渉することなく開閉可能な構成であってもよい。さらには、第１裏パックユニット１２１と第２裏パックユニット１４１とが一体化され個別に開閉できない構成としてもよい。
【００５２】
次に、第１裏パックユニット１２１の構成について詳細に説明する。
第１裏パックユニット１２１は、裏パック１２４を備えており、当該裏パック１２４に対して、払出機構部１２５が取り付けられている。裏パック１２４は透明性を有する合成樹脂により成形されており、払出機構部１２５などが取り付けられるベース部１２６と、パチンコ機１０後方に突出し略直方体形状をなす保護カバー部１２７とを有する。保護カバー部１２７は左右側面及び上面が閉鎖され且つ下面のみが開放された形状をなし、少なくとも可変表示ユニット６７を囲むのに十分な大きさを有する。
【００５３】
ベース部１２６には、その右上部に外部端子板１３１が設けられている。外部端子板１３１には各種の出力端子が設けられており、これらの出力端子を通じて遊技ホール側の管理制御装置に対して各種信号が出力される。また、ベース部１２６には上述した第１裏パックユニット１２１の軸金具１２３が設けられている。
【００５４】
ベース部１２６には、保護カバー部１２７を迂回するようにして払出機構部１２５が配設されている。払出機構部１２５は、タンク１３２と、タンクレール１３３と、上下通路ユニット１３４とを備えている。タンク１３２は上方に開放されており、裏パック１２４の最上部に設けられている。タンク１３２には遊技ホールの島設備から遊技球が逐次補給される。タンクレール１３３は、タンク１３２の下方において当該タンク１３２に連結されており、下流側に向けて緩やかに傾斜している。当該タンクレール１３３の下流部に連結させて上下通路ユニット１３４が設けられている。上下通路ユニット１３４は上下方向に延びており、その途中位置に払出装置１３５が設けられている。また、上下通路ユニット１３４の下流側には、球受け部、裏パック側通路部、本体側通路部及び前面側通路部が設けられており、前面側通路部は上皿９５ａ及び下皿９６ａに連通されている。
【００５５】
つまり、タンク１３２と、上皿９５ａ及び下皿９６ａの受け皿との間には、タンクレール１３３、上下通路ユニット１３４、球受け部、裏パック側通路部、本体側通路部及び前面側通路部からなる誘導通路部が設けられており、タンク１３２に貯留されている遊技球は当該誘導通路部を通じて上皿９５ａ又は下皿９６ａに払い出される。なお、上下通路ユニット１３４の構成、及びそれよりも下流側の構成については後に詳細に説明する。
【００５６】
払出機構部１２５には、裏パック基板１３６が設置されている。裏パック基板１３６には、例えば交流２４ボルトの主電源が供給され、電源スイッチ１３７の切替操作により電源ＯＮ又は電源ＯＦＦとされるようになっている。
【００５７】
次に、第２裏パックユニット１４１の構成について詳細に説明する。
第２裏パックユニット１４１は、排出通路盤１４２と制御装置集合ユニット１４３とを備えている。排出通路盤１４２は第２裏パックユニット１４１の前側を構成し、制御装置集合ユニット１４３は第２裏パックユニット１４１の後側を構成している。そして、これら排出通路盤１４２と制御装置集合ユニット１４３とが前後に組み付けられて第２裏パックユニット１４１が構成されている。
【００５８】
排出通路盤１４２は、制御装置集合ユニット１４３と対向する面に後方に開放された排出通路１４４が形成されており、当該排出通路１４４の開放部は制御装置集合ユニット１４３によって塞がれている。排出通路１４４は、遊技ホールの島設備等へ遊技球を排出するように形成されており、上述した各種入賞口等から排出通路１４４に導出された遊技球は当該排出通路１４４を通ることでパチンコ機１０外部に排出される。
【００５９】
制御装置集合ユニット１４３は、横長形状をなす取付台１４５を有し、取付台１４５に払出制御装置１４６と電源及び発射制御装置１４７とが搭載されている。これら払出制御装置１４６と電源及び発射制御装置１４７とは、払出制御装置１４６がパチンコ機１０後方となるように前後に重ねて配置されている。
【００６０】
払出制御装置１４６は、第２基板ボックス１４８内に払出装置１３５を制御する払出制御基板が収容されている。なお、払出制御装置１４６から払出装置１３５への払出指令の信号は上述した裏パック基板１３６により中継される。また、払出制御装置１４６には状態復帰スイッチ１４８ａが設けられている。例えば、払出装置１３５における球詰まり等、払出エラーの発生時において状態復帰スイッチ１４８ａが押されると、球詰まりの解消が図られるようになっている。
【００６１】
電源及び発射制御装置１４７は、第３基板ボックス１４９内に電源及び発射制御基板が収容されており、当該基板により、各種制御装置等で要する所定の電源が生成されて出力され、さらに遊技者による遊技球発射ハンドル８４の操作に伴う遊技球の打ち出しの制御が行われる。また、電源及び発射制御装置１４７にはＲＡＭ消去スイッチ１４９ａが設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ１４９ａを押しながら電源を投入すると、ＲＡＭデータが初期化されるようになっている。
【実施例１】
【００６２】
＜スライド可動式の遊技盤６１（遊技盤ユニット２２０２）の構造＞
以下に実施例１の本発明を説明する。
図１０は本発明のスライド可動式の遊技盤６１を示す遊技機前面ユニット２３の裏面の斜視図であり、（ａ）は遊技盤ユニット２２０２（遊技盤６１）を引き出す前の状態、（ｂ）は遊技盤ユニット２２０２（遊技盤６１）を引き出し、更に展開した状態である。図１１は遊技機前面ユニット２３の裏面に取り付けたスライドレール２２０１を示す斜視図である。図１２は遊技盤ユニット２２０２を示す斜視図である。
なお、この図１０から図１７までは、スライド機構と関係のない遊技盤６１、遊技機前面ユニット２３等の詳細な説明、図示を簡潔な表現にして、スライド機構の説明を中心に詳細に説明する。
本発明のスライド機構によるスライド可動式の遊技盤６１は、遊技機前面ユニット２３の裏面に、上下位置にそれぞれ略水平方向に伸びるように取り付けたスライドレール２２０１と、これらスライドレール２２０１間に保持される遊技盤ユニット２２０２とから成る。この遊技盤ユニット２２０２は遊技盤６１と一体になったユニットである。この遊技盤ユニット２２０２は、スライドレール２２０１間においてスライド移動自在になる。本実施例では、スライドレール２２０１間における遊技盤ユニット２２０２のスライド移動方向は略水平方向のものを説明している。遊技盤ユニット２２０２のスライド移動方向はこの略水平方向に代えて上下方向にすることも可能である（図示せず）。
【００６３】
＜スライドレール２２０１と遊技盤ユニット２２０２の構造＞
スライドレール２２０１は、図１１に示すように、略水平方向に伸びるように溝２２０３が形成された部材である。スライドレール２２０１は、例えは長方形状の金属製の板材を、その長手方向の両側縁をその中心線に向けて、横断面が略四角形状になるように曲折したものを両側に２列配置し、その中心線方向の隙間が溝２２０３になる。但し、この金属製板材に限定されず、型成形による合成樹脂製の部材でもよい。
このスライドレール２２０１には、その長手方向に、遊技機前面ユニット２３の裏面に取り付ける固定用板部２２０４が取り付けられている。固定用板部２２０４の遊技機ベースユニット２２裏面への取り付けは、ねじ固定、接着剤固定などによる。あるいは遊技機ベースユニット２２と一体成形によるものでもよい。
【００６４】
スライドレール２２０１は、遊技機前面ユニット２３の横方向の幅よりやや短い長さを有する。このスライドレール２２０１の長さは、遊技盤６１を支える遊技盤ユニット２２０２の横方向と同じ長さがあれば十分である。この長さがあれば、遊技盤６１をスライドレール２２０１から引き出した状態で、遊技盤ユニット２２０２（遊技盤６１）を展開することができる。逆に、遊技機前面ユニット２３の横幅より長くすると、このスライドレール２２０１が遊技機１０内部における他の部材、装置、機構と干渉するおそれがある。
【００６５】
このようなスライドレール２２０１は、この溝２２０３が向かい合うように、遊技機前面ユニット２３の裏面にそれぞれ取り付けられる。各スライドレール２２０１には、遊技盤６１（遊技盤ユニット２２０２）をスライドレール２２０１から引き出す側に、孔２２０５がそれぞれ開けられている。この孔２２０５は上側のスライドレール２２０１と下側のスライドレール２２０１の両方に開けられている。その中心点は同一軸線上にある。
【００６６】
上下の孔２２０５には、遊技盤ユニット２２０２の片側に取り付けられた上下方向へそれぞれ突出するピン２２０６が着脱自在に嵌合する。遊技盤ユニット２２０２、即ち遊技盤６１を、スライドレール２２０１から引き出し、更にピン２２０６が孔２２０５の位置に来ると、弾性力によりピン２２０６が大きく飛び出して、その先端が孔２２０５内に嵌合する。この孔２２０５とピン２２０６部分を回動中心点として、遊技盤ユニット２２０２（遊技盤６１）を回動させることができる。そこで、遊技盤ユニット２２０２（遊技盤６１）を展開させることができる。
【００６７】
遊技盤ユニット２２０２に代えて、従来の略楕円形状のような遊技盤６１をそのまま利用できるように、遊技盤用固定枠を用いることも可能である（図示していない）。この遊技盤用固定枠は、略楕円形状の遊技盤６１を囲むように保持する略四角形状の枠体であり、その上辺と下辺はスライドレール２２０１の上下の各溝２２０３にスライド移動できるように直線形状の部材から成る。このような遊技盤６１とは別体の遊技盤用固定枠をスライドレール２２０１にスライド可能に取り付けて使用することも可能である。
【００６８】
この孔２２０５は、図１１に示すように、スライドレール２２０１の左側に開けられている。これは、遊技機１０の支持金具１７，１８が取り付けられている位置と反対側に取り付ける。遊技機前面ユニット２３が展開開放される側に向けて、遊技盤ユニット２２０２（遊技盤６１）を引き出せるようにするためである。この孔２２０５は、スライドレール２２０１の右側に開けることは勿論可能である。
【００６９】
この孔２２０５は、スライドレール２２０１の両端に開けることもできる（図示していない）。両方に孔２２０５が開けられたスライドレール２２０１は、１種類のスライドレール２２０１について、２個準備し、一方は反転した状態で遊技機ベースユニット２２に取り付ければ、上側のスライドレール２２０１としても、下側のスライドレール２２０１としても両方に使用することができる。
【００７０】
本発明の遊技盤ユニット２２０２（遊技盤６１）は、必ずしもスライドレール２２０１の端部まで引き出し、ピン２２０６を回動中心点として展開させる必要はない。例えば、遊技盤ユニット２２０２（遊技盤６１）をスライドレール２２０１の途中で止めることも可能である。このときは、遊技盤ユニット２２０２がスライドレール２２０１の溝２２０３内にあるので、スライドレール２２０１と平行状態になるが、遊技機１０の簡単な点検、清掃であれば十分である。このときは、必要に応じてピン２２０６が嵌合する停止孔（図示していない）をスライドレール２２０１の途中に開けることができる。
【００７１】
＜ピン２２０６の構造＞
図１３は遊技盤ユニット２２０２のピン２２０６の構造を示す拡大断面図であり、（ａ）はピン２２０６が押し下げられている状態、（ｂ）はピン２２０６が大きく飛び出し、孔２２０５に嵌合した状態である。図示例は遊技盤ユニット２２０２上側のピン２２０６の構造を示しているが、下側のピン２２０６の構造も同様な構成であるため説明を省略する。
ピン２２０６は、遊技盤ユニット２２０２内において、略棒形状になるピン支持部材２２０６ａの一端に取り付けられている。このピン支持部材２２０６ａの他端には、遊技盤ユニット２２０２内において、このピン支持部材２２０６ａを上下動させる揺動支持部２２０６ｂが設けられている。このピン支持部材２２０６ａは、コイルばね等の弾性部材２２０６ｃにより、ピン２２０６が外方向へ突出するように付勢された状態で保持されている。
【００７２】
ピン支持部材２２０６ａには、ピン２２０６と揺動支持部２２０６ｂの間にピン押し下げボタン２２０６ｄが形成されている。このピン押し下げボタン２２０６ｄは、図１３（ａ）に示すように遊技盤ユニット２２０２に開けたボタン孔２２０６ｅから飛び出している。即ち、このピン押し下げボタン２２０６ｄは、遊技盤ユニット２２０２の上下のスライド面２２０２ａより少し飛び出した状態にある（図１２参照）。このピン押し下げボタン２２０６ｄが、スライドレール２２０１の溝２２０３を移動しているときは、文字通りピン押し下げボタン２２０６ｄは遊技盤ユニット２２０２内に押し込められ、このピン押し下げボタン２２０６ｄを構成しているピン支持部材２２０６ａを、揺動支持部２２０６ｂが回動支点となり、その先端のピン２２０６が大きく押し下げられ、スライドレール２２０１の溝２２０３内においてピン２２０６が遊技盤ユニット２２０２のスライド移動の障害とならない。
【００７３】
遊技盤ユニット２２０２（遊技盤６１）を、図１３（ｂ）に示すように、スライドレール２２０１から引き出し、更にピン２２０６が孔２２０５の位置に来ると、弾性部材２２０６ｃによりピン支持部材２２０６ａが押し上げられ、ピン２２０６が大きく飛び出し、その先端が孔２２０５内に嵌合する。この孔２２０５とピン２２０６部分を回動中心点として、遊技盤ユニット２２０２（遊技盤６１）を回動させることができる。
【００７４】
＜段差２２０７の構造＞
図１４は遊技盤ユニット２２０２の段差２２０７の構造を示す拡大正面図である。図示例は遊技盤ユニット２２０２上側の段差２２０７の構造を示しているが、下側の段差２２０７の構造も同様な構成であるため説明を省略する。
遊技盤ユニット２２０２におけるピン２２０６が取り付けられた箇所には、段差２２０７が形成されている。遊技盤ユニット２２０２における他のスライド面２２０２ａより上下に短くなっている。これは、遊技盤ユニット２２０２（遊技盤６１）を展開させるときに、スライドレール２２０１の立ち上がり部分、すなわち溝２２０３の両側の位置と干渉しないようにするためである。この段差２２０７部分が溝２２０３内に収まっていなくても、遊技盤ユニット２２０２のスライド面の大部分が溝２２０３内に収まり、摺動するようになっているので、スライド可動には支障はない。勿論本来の遊技盤ユニット２２０２を支える機能は十分発揮している。
【００７５】
このピン２２０６部分の段差２２０７は、遊技盤ユニット２２０２のピン２２０６周りの過回転を防止できるように、スライドレール２２０１の周囲に当接する過回動防止構造２２０８が形成されている。この過回動防止構造２２０８は、図示するように、スライドレール２２０１から引き出した、遊技盤ユニット２２０２は、図１０（ｂ）、図１３（ｂ）に示したように、ピン２２０６部分を回動中心点として、展開するように回動させることができる。そこで、段差２２０７の端縁（過回動防止構造２２０８）とピン２２０６との間隔（Ｌ１）は、このピン２２０６を嵌合させる孔２２０５とスライドレール２２０１の端縁との間隔より、やや長い。勿論このピン２２０６の周りで段差２２０７部分、すなわち遊技盤ユニット２２０２を回動させるためである。しかし、この段差２２０７部分が長すぎると、孔２２０５の周囲を不用意に回動しやすくなる。その結果、遊技盤ユニット２２０２（遊技盤６１）が遊技機１０の他の部材、装置、配線に接触して遊技機１０の遊技上の不具合を招来するおそれがある。そこで、このような過回動防止構造２２０８を形成した。
【００７６】
＜把手２２０９と係合部２２１０の構造＞
図１５は引き出した遊技盤ユニット２２０２（遊技盤６１）を、把手２２０９を介して遊技機ベースユニット２２に掛け止めた状態を示す斜視図である。
遊技盤ユニット２２０２に把手２２０９を設けることが好ましい。この把手２２０９は、遊技機ベースユニット２２に設けた係合部２２１０に着脱し得るものである。この把手２２０９は、遊技盤ユニット２２０２の引き出す側に取り付けたものである。遊技機１０の保守、点検作業に際して、遊技盤ユニット２２０２をスライドレール２２０１から容易に引き出せるようにするものである。図示例では、上下方向に伸びる１本の棒状部材とその上下部が折り曲げられ、各先端が遊技盤ユニット２２０２の縁に取り付けられた構成である。図示例では、遊技盤ユニット２２０２の表面側に把手２２０９が取り付けられている。
【００７７】
この把手２２０９は、単に遊技盤ユニット２２０２をスライドレール２２０１から引き出す際にのみ使用するものではなく、図１５に示すように、この把手２２０９を遊技機ベースユニット２２に取り付けた、係合部２２１０に着脱自在に掛け止めることができる。この係合部２２１０は、把手２２０９を構成する縦棒部分を、弾力性を有する金属製の横断面がＳ文字状と逆Ｓ文字状の部材を向かい合わせに配置した挟持具で挟む構造のものである。なお、図示例では、挟持具を３箇所配置した構成を示しているが、この数に限定されない。また、この係合部２２１０の構造も、横断面がＳ字状と逆Ｓ字状の部材を向かい合わせに配置した構成に限定されず、図示しないが鉤状の部材からなるもの、その他形状のものを採用することができる。着脱自在に把手２２０９を掛け止めることができる構成であれば問題ない。
【００７８】
この把手２２０９を遊技機ベースユニット２２の係合部２２１０に掛け止めると、図１４に示すように、上方から視認する、遊技盤ユニット２２０２と遊技機前面ユニット２３と遊技機ベースユニット２２とから構成される略三角柱の形状をなす。この遊技盤ユニット２２０２（遊技盤６１）の表面側、釘６９、入賞口等６２，６３，６４，６５が見えやすくなり、点検・保守を容易に実施することができる。しかも、従前の遊技機とは異なり、遊技盤ユニット２２０２が確実に固定されているので、点検・保守の際に揺動することがなく安全に作業することができる。
【００７９】
なお、遊技盤ユニット２２０２（遊技盤６１）の裏面側の点検・保守の際には、遊技盤ユニット２２０２（遊技盤６１）を、スライドレール２２０１から引き出し、ピン２２０６が孔２２０５に嵌合する前の位置で止める。この位置であれば、遊技盤ユニット２２０２のスライド面がスライドレール２２０１の溝２２０３内に留まり、遊技盤ユニット２２０２は、スライドレール２２０１と並行、すなわち遊技機前面ユニット２３の裏面と並行にある。但し、この遊技機前面ユニット２３の裏面から横方向へ飛び出した状態にあるためにその周囲の空間が広く、この広い空間で他の遊技機、装置などに干渉することなく点検・保守の作業を行うことができる。
【００８０】
遊技盤６１の点検・保守が終了したら、ピン２２０６をスライドレール２２０１の孔２２０５内にドライバーなどの工具を用いて押し込み、次に遊技盤ユニット２２０２をスライドレール２２０１間に戻す。このとき、更に遊技盤ユニット２２０２の長手方向がスライドレール２２０１の長手方向と平行な位置関係にないときは、先ず遊技盤ユニット２２０２を平行な位置関係に戻す、そのままピン２２０６を押し込むと同時に、スライドレール２２０１間に押し戻す。これで元の位置に遊技盤ユニット２２０２と遊技盤６１を押し戻す作業が完了する。
なお、把手２２０９が遊技機ベースユニット２２の係合部２２１０に掛け止められているときは、これを最初に解除する必要がある。
【００８１】
＜ピン２２０６の変形例＞
図１６はピン２２０６の変形例を示し、孔２２０５に嵌合する前の状態の拡大正断面図（ａ）と部分平面図（ｂ）、孔２２０５に嵌合している状態の拡大正断面図（ｃ）と部分平面図（ｄ）である。図１７はピン２２０６の変形例を示し、孔２２０５から外す状態の拡大正断面図（ｅ）と部分平面図（ｆ）である。
このピン２２０６の変形例では、図１６（ａ）に示すように、ピン２２０６の先端部分が円柱形状ではなく、遊技盤ユニット２２０２の引き出し側（端縁側）からその反対に向けて傾斜している（図示紙面上の右側）。この傾斜した短い部分は、孔２２０５からピン２２０６の一部が飛び出さない程度である。このピン２２０６の先端部分の傾斜面と、遊技盤ユニット２２０２との位置関係が変化しないように、この変形例のピン２２０６は出没自在になるが、ピン２２０６は中心軸の周りに回動しない構造とする。
【００８２】
この変形例のピン２２０６は、図１６（ａ）と（ｂ）に示すように、上述したスライドレール２２０１の溝２２０３を移動しているときは、孔２２０５の傾斜面の高い（外に飛び出して）部分は、この溝２２０３面を摺動するので、遊技盤ベースユニット２２０２を引き出すことに支障はない
【００８３】
次に、このピン２２０６は、図１６（ｃ）と（ｄ）に示すように、孔２２０５の位置まで移動すると、弾性力で孔２２０５内に飛び出す。この孔２２０５から嵌合したピン２２０６先端の傾斜面の高い部分が孔２２０５で回動自在に擦接しているので、抜けないようになっている。回動軸としての機能を十分発揮するようになっている。この変形例のピン２２０６は、出没自在になるが、このピン２２０６先端の傾斜面の位置は動かないように、ピン２２０６は中心軸の周りに回動しない構造である。そのためにピン２２０６先端に傾斜面２２１１が形成されていても、回動軸としての機能は発揮する。
【００８４】
このピン２２０６は、図１７（ｅ）と（ｆ）に示すように、遊技盤ユニット２２０２の引き出す方向と反対側は、孔２２０５から一部が飛び出さにように傾斜面２２１１が形成されている。このピン２２０６先端の傾斜面２２１１により、遊技盤ユニット２２０２をスライドレール２２０１間に押し戻すと、このピン２２０６先端の傾斜面が孔２２０５の周縁に当たりそのままスライドレール２２０１の溝面に移動して、ピン２２０６全体が押し戻される。上述したように、ピン２２０６を押し込む作業を省くことができる。
【００８５】
なお、上述した実施の形態の記載内容に限定されず、例えば次のように実施してもよい。
上記実施の形態では、図柄表示装置を備えたパチンコ機１０に対して本発明を適用したが、それ以外のタイプのパチンコ機に適用してもよい。例えば、遊技球転動部や有利口などが設けられた入賞役物装置を備えたパチンコ機や、他の役物を備えたパチンコ機、アレンジボール機、雀球等の遊技機にも、本発明を適用できる。また、受け皿として上皿及び下皿が設けられているのではなく、単一の受け皿が設けられたパチンコ機にも、本発明を適用できる。
【００８６】
＜上記実施の形態から抽出される発明群について＞
以下、上述した実施の形態から抽出される発明群の特徴について、必要に応じて効果等を示しつつ説明する。なお以下においては、理解の容易のため、上記実施の形態において対応する構成を括弧書き等で適宜示すが、この括弧書き等で示した具体的構成に限定されるものではない。
【００８７】
遊技機Ａ
遊技機Ａはパチンコ、スロットマシンあるいはメダルの代わりに遊技球でスロットマシンの遊技をするパロット等の遊技機に関する。
【００８８】
遊技機の一種としてのパチンコ機では、例えば発射装置が発射した遊技球が打ち出される遊技領域を備えた遊技盤が設けられている。遊技盤は、発射装置から発射された遊技球を遊技領域に案内するためのガイドレール（ガイド部材）と一体に形成されている。このような遊技盤は、定期的に点検、清掃、更に整備する必要がある。この点検・清掃・整備する際に、前面扉、前枠といった遊技機前面ユニットを開放して遊技盤の盤面を露出させる。
【００８９】
パチンコ機は年々複雑化及び多様化が進んでおり、遊技機前面ユニットの前面に膨出している部分が多くなり、遊技機前面ユニットを大きく開閉しづらくなってきた。そのために、遊技盤の点検・清掃・整備に際して、隣接するパチンコ機と干渉して遊技機前面ユニットを大きく開けないことがあり、遊技盤の左半分が遊技機前面ユニットの裏面に邪魔されて作業がしづらいといった問題があった。
【００９０】
例えば特許文献１の特開２００９−７７７８４の「パチンコ機」には、パチンコ機の機種変更などの際に、本体枠から取り外されて仕様の異なるものへと交換される遊技機に関する構成が提案されている。
【００９１】
【特許文献２】特開２００９−７７７８４公報
【００９２】
しかし、特許文献１の「パチンコ機」では、遊技機の遊技盤の交換が技術目的であり、簡単な作業により、遊技盤の盤面を大きく露出させて遊技盤の点検・清掃・整備することはできないという問題を有していた。
【００９３】
本発明は、上述した問題点等を解決するために創案されたものである。すなわち、本発明の目的は、遊技盤の点検・清掃・整備を容易にかつ安全に実施することができる遊技機を提供することにある。
【００９４】
遊技機Ａ１は、遊技機前面ユニットの裏面に、上下位置にそれぞれ略水平方向に伸びるように取り付けたスライドレールと、
前記スライドレール間において、前記遊技機前面ユニットの裏面位置と、該遊技機前面ユニットの外部に張り出す位置との間を略水平方向にスライド移動自在になるように該スライドレール間に保持される遊技盤ユニットと、
前記遊技盤ユニットを、前記遊技機前面ユニットの裏面から張り出した位置で回動自由に支持する支持手段と、を備えた、ことを特徴とする遊技機。
遊技機Ａ２は、前記遊技盤ユニットを、前記遊技機前面ユニットの裏面から張り出した位置で固定する固定手段を更に備えた、ことを特徴とする遊技機Ａ１の遊技機。
【００９５】
遊技機Ａ１、Ａ２の構成では、遊技盤ユニット（遊技盤）は、遊技機の遊技時にはスライドレール間において維持される。遊技機の遊技盤の点検・清掃・整備する際に、遊技盤ユニット（遊技盤）を、水平方向に引き出すようにスライド移動させる。遊技盤ユニットに設けたピンは、スライドレール間において回動自在になるので、遊技盤の釘、入賞口などが設けられた盤全面が開放され、従来のように他の部材に干渉、邪魔されることなく遊技盤の細部に至るまで点検・清掃・整備することができる。
【００９６】
遊技機Ａ３は、前記各スライドレールは、略水平方向に伸びるように溝が形成され、この溝が向かい合うように、前記遊技機前面ユニットの裏面にそれぞれ取り付けられた、ことを特徴とする請求項１遊技機Ａ１又はＡ２の遊技機。
遊技機Ａ３の構成では、各スライドレールは、略水平方向に伸びるように溝が形成され、この溝が向かい合うように、遊技機前面ユニットの裏面に取り付けられているので、これらの溝間に挟んだ遊技盤ユニットを円滑にスライド移動させることができる。遊技盤ユニットの上下縁は溝で保持されているので、外れることなくスライド移動させることができる。
【００９７】
遊技機Ａ４は、前記支持手段は、前記遊技機前面ユニットの片側に、取り付けられた上下方向へそれぞれ突出するピンと、前記スライドレールの溝に開けられた各孔とから成り、
上下側の前記スライドレールの溝に開けられた各孔に、前記ピンを着脱自在に差し込み回動自在に支持する構成である、ことを特徴とする遊技機Ａ１、Ａ２又はＡ３の遊技機。
遊技機Ａ４の構成では、遊技盤ユニットの片側に取り付けられたピンが、上下方向へそれぞれ突出して溝に開けられた孔に差し込まれることで、ストッパー機能を有し、遊技盤（遊技盤ユニット）の盤全面を安全にスライド移動させ露出させることができる。更に、この孔に差し込まれたピンが回動自在に支持されるので、この遊技盤（遊技盤ユニット）の盤全面を反転することができるので、より細部に至るまで点検・清掃・整備することができる。
【００９８】
遊技機Ａ５は、前記遊技盤ユニットに把手を設け、該把手は前記遊技機ベースユニットに設けた係合部に着脱し得るように構成した、ことを特徴とする遊技機Ａ１、Ａ２、Ａ３又はＡ４の遊技機。  
遊技機Ａ５の構成では、遊技盤ユニットに設けた把手を、枠材に設けた係合部に着脱し得るものでは、この把手を枠材側に掛け止め、反転させた遊技盤（遊技盤ユニット）を固定することができ、遊技盤（遊技盤ユニット）が揺動しないので、安全かつ細部に至るまで点検・清掃・整備することができる。
【００９９】
遊技機Ａ６は、前記ピンは前記遊技盤ユニットの引き出し方向と反対に向けて傾斜している形状である、ことを特徴とする遊技機Ａ４の遊技機。
遊技機Ａ６の構成では、ピン先端が傾斜している形状のものでは、このピン先端の傾斜面により、遊技盤ユニットをスライドレール間に押し戻すと、このピン先端の傾斜面が孔の周縁に当たりそのままスライドレールの溝面に移動して、ピン全体が押し戻される。遊技盤ユニットを戻す際にピンを押し込む作業を省くことができる。
【０１００】
因みに、特徴Ａ１乃至特徴Ａ６のいずれか１つ又はそれらの組み合わせを上記特徴Ａ１乃至Ａ５に適用してもよい。
【０１０１】
以下に、以上の各特徴を適用し得る遊技機の基本構成を示す。
【０１０２】
パチンコ遊技機：遊技者が操作する操作手段（遊技球発射ハンドル）と、その操作手段の操作に基づいて遊技球を発射する遊技球発射手段（遊技球発射機構のソレノイド）と、その発射された遊技球を所定の遊技領域に導く球通路と、遊技領域内に配置された各遊技部品（釘等）とを備え、それら各遊技部品のうち所定の通過部（作動口等）を遊技球が通過した場合に遊技者に特典を付与する遊技機。
【０１０３】
遊技機１０、Ａ１〜Ａ６のいずれかにおいて、前記遊技機はパチンコ遊技機であることを特徴とする遊技機である。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示装置において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードヘ書き込まれるデータ等も含む）が付与されるものが挙げられる。
【０１０４】
遊技機１０、Ａ１〜Ａ６のいずれかにおいて、前記遊技機はスロットマシンであることを特徴とする遊技機である。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０１０５】
遊技機１０、Ａ１〜Ａ６のいずれかにおいて、前記遊技機はパチンコ遊技機とスロットマシンとを融合させたものであることを特徴とする遊技機である。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手投（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【産業上の利用可能性】
【０１０６】
本発明の遊技機は、主にパチンコ機の遊技機に利用することができるが、遊技盤をスライド移動できる構成であればパチンコ機以外の様々な遊技機に利用することができる。
【符号の説明】
【０１０７】
１０  遊技機としてのパチンコ機
１１  外枠
６１  遊技盤
２２  遊技機ベースユニット
２３  遊技機前面ユニット
２２０１  スライドレール
２２０２  遊技盤ユニット
２２０２ａ  スライド面
２２０３  溝
２２０４  固定用板部
２２０５  孔
２２０６  ピン
２２０７  段差
２２０８  過回動防止構造
２２０９  把手
２２１０  係合部
２２１１  ピン先端の傾斜面
【図１】
2014050635.tif 000003
【図２】
2014050635.tif 000004
【図３】
2014050635.tif 000005
【図４】
2014050635.tif 000006
【図５】
2014050635.tif 000007
【図６】
2014050635.tif 000008
【図７】
2014050635.tif 000009
【図８】
2014050635.tif 000010
【図９】
2014050635.tif 000011
【図１０】
2014050635.tif 000012
【図１１】
2014050635.tif 000013
【図１２】
2014050635.tif 000014
【図１３】
2014050635.tif 000015
【図１４】
2014050635.tif 000016
【図１５】
2014050635.tif 000017
【図１６】
2014050635.tif 000018
【図１７】
2014050635.tif 000019